(57)【要約】【課題】効率の良い集中式空気調和装置でありながら、冷媒がリークしても、室内の人に悪影響を及ぼさない、安全な空気調和装置を得ることにある。【解決手段】冷凍装置（１１〜１４）を含む集中式冷凍回路（１０）とファンコイルユニット（３１）を含む室内回路（３０）と中間熱交換器（２１，２２，１２２，１４２）を含む中継回路（２０）とを備え、中継回路を介して室内回路を集中式冷凍回路に接続することで、中間熱交換器によって室内回路を集中式冷凍回路から分離すると共に、室内回路にこれを設置した部屋の許容冷媒濃度以下の量の冷媒を充填してある。【選択図】図２
2006029744.tif 000002
【特許請求の範囲】
【請求項１】
冷凍装置を含む集中式冷凍回路と室内熱交換器を含む室内回路と中間熱交換器を含む中継回路とを備え、前記中継回路を介して前記室内回路を前記集中式冷凍回路に接続することで、前記中間熱交換器によって前記室内回路を前記集中式冷凍回路から分離すると共に、前記室内回路にこれを設置した部屋の許容冷媒濃度以下の量の冷媒を充填してあること、を特徴とする集中式空気調和装置。
【請求項２】
前記中間熱交換器が冷媒を自然循環させる縦形流路を持つ熱交換器からなる請求項１に記載の装置。
【請求項３】
前記中継回路が第一の中間熱交換器とこの第一の中間熱交換器の二次側流路と閉回路を構成する一次側流路をもつ第二の中間熱交換器とを備え、前記第一の中間熱交換器の一次側流路が前記集中式冷凍回路に、前記第二の中間熱交換器の二次側流路が前記室内回路に接続されている請求項１又は請求項２に記載の装置。
【発明の詳細な説明】
【技術分野】
【０００１】
この発明は、集中式空気調和装置に係わり、更に詳しくは、複数の空気熱交換器を備えた、比較的規模の大きな集中式空気調和装置の改良に関している。
【背景技術】
【０００２】
近年、地球環境保全の目的から、省エネルギー化が重要視され、空気調和装置においても非常に大切な要点になっている。
【０００３】
比較的規模の大きな空気調和装置の省エネルギー化を図る場合、分散式より集中式の設備の方が有利なことが多い。しかし、多くの室内空調用熱交換器を備えた集中式空気調和装置では、一部の部屋で冷媒が漏れた場合、大量の冷媒がその部屋に充満し、人命に係る事故につながる危険性がある。
【０００４】
このような問題を解決するものとして、圧縮機、凝縮器及び受液器等を含む冷凍機回路と蒸発器となる室内空調用熱交換器をもつ室内空調回路とを備え、室内空調回路を中間熱交換器を介して冷凍機回路に接続することで、室内空調回路を中間熱交換器によって冷凍機回路から分離し、冷凍機回路にアンモニアのような冷却効率の高い冷媒を、室内空調回路に毒性が低く、かつ難燃性の冷媒を使用した空気調和装置が提供されている（例えば、特許文献１を参照）
【特許文献１】特開平５−３３３９２６号公報
【発明の開示】
【発明が解決しようとする課題】
【０００５】
しかしながら、このような空気調和装置も、規模が大きくなると、中間熱交換器の二次側に大量の冷媒が充填されるため、経年変化、地震などの天災によって、機器や配管が損傷したり、接続が緩んだりすると、冷媒が部屋に大量に漏れ、人命に係る事故につながる危険性がある。冷媒が、例えば、安全といわれる炭酸ガスであっても、この冷媒は無色無臭であるため、大量に漏れても気づかず、窒息する危険がある。
【０００６】
そこで、本発明の目的は、効率の良い集中式空気調和装置でありながら、冷媒が漏れても、室内の人に悪影響を及ぼさない、安全な空気調和装置を得ることにある。
【課題を解決するための手段】
【０００７】
上記目的を達成するために、請求項１の集中式空気調和装置は、冷凍装置を含む集中式冷凍回路と室内熱交換器を含む室内回路と中間熱交換器を含む中継回路とを備え、中継回路を介して室内回路を集中式冷凍回路に接続することで、中間熱交換器によって室内回路を集中式冷凍回路から分離すると共に、室内回路にこれを設置した部屋の許容冷媒濃度以下の量の冷媒を充填してあることを特徴としている。
【０００８】
また、請求項２の集中式空気調和装置は、請求項１に記載の集中式空気調和装置において、中間熱交換器が冷媒を自然循環させる縦形流路を持つ熱交換器からなることを特徴としている。
【０００９】
また、請求項３の集中式空気調和装置は、請求項１又は請求項２に記載の集中式空気調和装置において、中継回路が第一の中間熱交換器とこの第一の中間熱交換器の二次側流路と閉回路を構成する一次側流路をもつ第二の中間熱交換器とを備え、第一の中間熱交換器の一次側流路が集中式冷凍回路に、第二の中間熱交換器の二次側流路が室内回路に接続されていることを特徴としている。
【発明の効果】
【００１０】
請求項１に記載の集中式空気調和装置は、冷凍装置を含む集中式冷凍回路と室内熱交換器を含む室内回路と中間熱交換器を含む中継回路とを備え、中継回路を介して室内回路を集中式冷凍回路に接続することで、中間熱交換器によって室内回路を集中式冷凍回路から分離すると共に、室内回路にこれを設置した部屋の許容冷媒濃度以下の量の冷媒を充填してあるため、経年変化や天災などによって室内回路の管継ぎ手や管材などが損傷し、冷媒がファンコイルを設置した部屋内に漏れることがあっても、部屋内の人に影響を与えることがなくなり、室内環境を常にかつ確実に安全に保つことができる。そして、中間熱交換器によって熱交換を一回多く行っているが、集中式冷凍回路と室内回路とにそれぞれ最適な冷媒を使用することができるため、冷却効率の低下をなくすことができる。
【００１１】
請求項２に記載の集中式空気調和装置は、請求項１の集中式空気調和装置において、中間熱交換器が冷媒を自然循環させる縦形流路を持つ熱交換器からなるため、ポンプなしに冷媒を中間熱交換器とファンコイルユニットとの間を循環させることができて、中間熱交換器が存在するにもかかわらず、低コストで設備を構築することができる。
【００１２】
請求項３に記載の集中式空気調和装置は、請求項１あるいは請求項２の集中式空気調和装置において、中継回路が第一の中間熱交換器とこの第一の中間熱交換器の二次側流路と閉回路を構成する一次側流路をもつ第二の中間熱交換器とを備え、第一の中間熱交換器の一次側流路が集中式冷凍回路に、第二の中間熱交換器の二次側流路が室内回路に接続されているため、室外回路を設置した部屋から完全に隔離することができる。例えば、集中式冷凍回路と一緒に第二の中間熱交換器を地下室などに配置することで、集中式冷凍回路にアンモニア冷媒を採用しても、室内への有毒冷媒の漏れを確実に阻止することができて、より安全でありながら、冷却効率の高い集中式空気調和装置を得られる。
【発明を実施するための最良の形態】
【００１３】
以下、図面を参照して、本発明の集中式空気調和装置の実施例を説明する。
【実施例１】
【００１４】
図１及び図２は、本発明の集中式空気調和装置の第一の実施例を示している。
【００１５】
この集中式空気調和装置は、図１に示すように、集中式冷凍回路１０、室内回路３０及びこれらの回路１０，３０を分離する中継回路２０からなっている。
【００１６】
集中式冷凍回路１０は、アンモニアを冷媒とするもので、往復動式の圧縮機１１、凝縮器１２、受液器１３及び膨張弁１４を備えている。圧縮機１１は、冷媒吐き出し口を凝縮器１２の冷媒入口に、凝縮器１２の冷媒出口を受液器１３冷媒入口に接続され、膨張弁１４は、受液器１４の冷媒出口に接続されている。室内回路３０は、炭酸ガスを冷媒とするもので、室内熱交換器としてのファンコイルユニット３１を備えている。中継回路２０も、炭酸ガスを冷媒とするもので、第一の中間熱交換器２１と第二の中間熱交換器２２とを備えている。第一の中間熱交換器２１の一次側流路は、圧縮機１１と受液器１３との間に接続されている。第一の中間熱交換器２１の二次側流路は、第二の中間熱交換器２２の一次側流路と閉回路を構成している。第二の中間熱交換器２２の二次側流路は、各々のファンコイルユニット３１に接続されている。
【００１７】
本発明による集中式空気調和装置において、室内回路３０の炭酸ガス冷媒の充填量は、ファンコイルユニット３１が設置される部屋の許容炭酸ガス濃度以下となっている。
【００１８】
すなわち、通常の酸素濃度の場合、空気中の炭酸ガス濃度が人体に及ぼす影響は、よく知られているように、以下のようになっている。
【００１９】
炭酸ガス濃度（％）      影響
０．０４                正常空気
０．５                  長期安全限界（平均許容滞在時間は８時間）
１．５                  作業性及び基礎的生理機能に影響を及ぼさずに長時間に亘っ
て耐えることができるが、カルシウム、リン代謝に影響の出
る場合がある。
２．０                  呼吸が深くなる。一回の呼吸量が３０％増加する。
３．０                  作業性低下。生理機能の変化が体重、血圧、心拍数などの変
化として現れる。
４．０                  呼吸がさらに深くなる。呼吸数が増加して、軽度のあえぎ状
態となる。相当な不快感がある。
【００２０】
米国政府の産業衛生専門家会議（American Conference of Govermaital Industrial Hyginists)では、人体に及ぼす炭酸ガス濃度に関して、健康な成人に対し、一日８時間、一週間４０時間程度の労働を基準としたときに、炭酸ガス許容濃度を０．５％、平均許容時間１５分の短時間暴露のときに、許容濃度を３％としている。日本産業衛生学会でも、恕限量０．５％を勧告している。
【００２１】
本発明による空気調和装置では、各々の部屋の炭酸ガス濃度が０．５％以下となるように、第二の中間熱交換器２２の二次側流路、つまり、第二の中間熱交換器２２の二次側流路、ファンコイルユニット３１の流路及びこれらを接続する配管に充填される炭酸ガス冷媒量を決定している。
【００２２】
例えば、人が排出する炭酸ガスのすべてが換気されるとし、部屋の幅、高さ及び奥行きが１０ｍ×２０ｍ×５ｍであるとすると、部屋容積は１０００ｍ3 であり、許容炭酸ガス量は３．３ｍ3 となる。
【００２３】
本発明による空気調和装置では、ファンコイルユニット３１、第二の中間熱交換器２２の二次側流路及びこれらを接続する流路の炭酸ガス冷媒の充填量は３．３ｍ3 以下として、万一、全量の炭酸ガス冷媒がファンコイルユニット３１を設置した部屋に漏れても、炭酸ガス許容濃度を０．５％以下に抑えて、部屋に居る人が窒息しないようにしている。
【００２４】
図２は、このような集中式空気調和装置のより具体的な構成を示している。
【００２５】
集中式冷凍回路１０は、往復動式圧縮機１１、凝縮器１２、受液器１３及び膨張弁１４からなる冷凍装置を備え、この空気調和装置が設置されるビルディングにおける人が常時居る部屋Ａ〜Ｃから独立しておりかつ室外となる空間、例えば、このビルディングの地下にある機械室Ｄに設置されている。
【００２６】
室内回路３０を構成するファンコイルユニット３１ａ〜３１ｃは、地上にある部屋Ａ〜Ｃに配置され、それぞれ、中継回路２０を介して集中式冷凍回路１０に接続されている。ファンコイルユニット３１ａは、一台が一階となる部屋Ａに設置されている。ファンコイルユニット３１ｂは、複数台在り、二階部屋Ｂの天井に吊ってある。ファインコイルユニット３１ｃは、一台在り、三階の部屋Ｃの床に設置されているが、この部屋の天井に向かって延びるダクト３２ｃを備えている。
【００２７】
中継回路２０は、一つの第一の中間熱交換器２１と、ファンコイルユニット３１ａ〜３１ｃ毎に配置された複数の第二の中間熱交換器２２ａ〜２２ｃとを備えている。これらの中間熱交換器２１,２２ａ〜２２ｃは、いずれも、プレート式熱交換器からなっている。
【００２８】
第一の中間熱交換器２１は圧縮機１１、凝縮器１２及び受液器１３と一緒に機械室Ｄに配置され、第二の中間熱交換器２２ａ〜２２ｃは、部屋Ａ〜Ｃから独立した空間、例えば、このビルディングにおけるガスや上下水道の配管を通すためのシャフトＥに配置されている。第一の中間熱交換器２１の一次側流路は、圧縮機１１と膨張弁１４との間に接続されている。第一の中間熱交換器２１の二次側流路は、流路２３，２４によって第二の中間熱交換器２２ａ〜２２ｃの一次側流路に接続され、かつこれらと閉回路を構成している。流路２３には、冷媒を圧送するためのポンプ２３ａが接続されている。第二の中間熱交換器２２ａ〜２２ｃの二次側流路は、各々のファンコイルユニット３１ａ〜３１ｃに接続されている。開閉弁２５ａ〜２５ｃは、流量調整弁としての機能を有するもので、第二の中間熱交換器２２ａ〜２２ｃの一次側流路に接続されている。そして、開閉弁２６ａ〜２６ｃ，２７ａ〜２７ｃが第二の中間熱交換器２２ａ〜２２ｃの一次側流路の冷媒入口側に、開閉弁２８ａ〜２８ｃ，２９ａ〜２９ｃが一次側流路の冷媒出口側に接続されている。
【００２９】
集中式冷凍回路１０を流れる冷媒はアンモニア、中継回路２０の冷媒は炭酸ガス、そして、室内回路３０の冷媒も炭酸ガスからなっている。第二の中間熱交換器２２ａ〜２２ｃの二次側流路の炭酸ガス冷媒は、前述のように、部屋Ａ〜Ｃに居る人の安全を保てる量に設定されている。部屋Ｂは、他の部屋Ａ，Ｃよりも容積が大きく、多数のファンコイルユニット３１ｂを必要とするため、各々のファンコイルユニット３１ｂ毎に第二の中間熱交換器２２ｂを組み合わせて、流路長を短くし、各々のファンコイルユニット３１ｂ、第二の中間熱交換器２２ａ〜２２ｃの二次側流路及びこれらを接続する流路の炭酸ガス冷媒量の合計を炭酸ガス許容濃度の０．５％以下に抑えている。
【００３０】
この集中式空気調和装置では、開閉弁２６ａ〜２６ｃ，２８ａ〜２８ｃを開き、圧縮機１１を運転すると、受液器１３にある液状のアンモニア冷媒が第一の中間熱交換器２１にて吸熱した後、蒸気となって圧縮機１１に吸い込まれ、圧縮機１１にて圧縮され、凝縮器１２にて液状となり、受液器１３に導かれる。
【００３１】
第一の中間熱交換器２１において放熱し、かつ液化された二次側流路の炭酸ガス冷媒は、流路２３を通って流量調整弁２５ａ〜２５ｃに流れ、第二の中間熱交換器２２ａ〜２２ｃに導かれ、これらの第二の中間熱交換器２２ａ〜２２ｃにて吸熱した後、蒸気となって流路２４を経由して第一の中間熱交換器２１に導かれる。このとき、炭酸ガス冷媒は第二の中間熱交換器２２ａ〜２２ｃにおいてファンコイルユニット３１ａ〜３１ｃを流れる炭酸ガス冷媒と熱交換する。第二の中間熱交換器２２ａ〜２２ｃの二次側流路の炭酸ガス冷媒は、液体状態となってファンコイルユニット３１ａ〜３１ｃの熱交換器３３ａ〜３３ｃに導かれ、ここで室内の内部空気と熱交換し、第二の中間熱交換器２２ａ〜２２ｃに戻り熱交換する。ファンコイルユニット３１ａ〜３１ｃの熱交換器３３ａ〜３３ｃにおいて冷やされた内部空気は、ファン３４ａ〜３４ｃによって室内Ａ〜Ｃに吹き出される。
【００３２】
また、暖房時は冷凍装置１１〜１４の排熱等を利用し、第一の中間熱交換器２１で吸熱した冷媒ガスを第二の中間熱交換器２２ａ〜２２ｃで放熱する。いま、開閉弁２６ａ〜２６ｃ，２８ａ〜２８ｃを閉じ、開閉弁２７ａ〜２７ｃ，２９ａ〜２９ｃを開くと、流路２４内の炭酸ガス冷媒が第二の中間熱交換器２２ａ〜２２ｃの一次側流路を流れ、第二の中間熱交換器２２ａ〜２２ｃの二次側流路を流れる炭酸ガス冷媒は、吸熱してファンコイルユニット３１ａ〜３１ｃの熱交換器３３ａ〜３３ｃに流れ、ここで室内の空気と熱交換した後、ファン３４ａ〜３４ｃによって室内に吹き出され、室内温度を上昇させる。
【００３３】
この集中式空気調和装置は、以上のように、第二の中間熱交換器２２ａ〜２２ｃの二次側流路の炭酸ガス冷媒が部屋Ａ〜Ｃに居る人の安全を保てる量に設定されているため、万一漏れることがあっても、人を窒息させたりする危険のない安全な集中式空気調和装置を得ることができる。
【００３４】
さらに、集中式冷凍回路１０と室内回路３０とが中継回路２０によって分離されているため、各々に最適な性能を持つ冷媒を採用することができる。例えば、集中式冷凍回路１０に、毒性が強くても、冷媒として性能の優れるアンモニア冷媒を採用することができ、採用しても、集中式冷凍回路１０ばかりか、アンモニア冷媒が流れる第一の中間熱交換器２１も部屋Ａ〜Ｃから隔離された地下室に設置することができるため、安全で、しかも冷却効率の高い集中式空気調和装置を得ることができる。
【実施例２】
【００３５】
図３は本発明による集中式空気調和装置の第二の実施例を示している。
【００３６】
この集中式空気調和装置も、集中式冷凍回路、中継回路及び室内回路を具備している。集中式冷凍回路は、図示されていないが、圧縮機、凝縮器、受液器及び膨張弁からなる冷凍装置を有するもので、この空気調和装置を設置するビルディングの屋上に配置されている。
【００３７】
室内回路を構成するファンコイルユニット１３１は、ビルディングの部屋Ａ’に設置されていると共に、中継回路１２０を介して集中式冷凍回路に接続されている。
【００３８】
中継回路１２０は、第一の中間熱交換器と第二の中間熱交換器とを有するもので、このビルディングのシャフトＥ’に配置されている。いずれもプレート形熱交換器からなっている。第一の中間熱交換器は、図示されていないが、一次側流路を集中式冷凍回路に接続され、集中式冷凍回路と一緒にビルディングの屋上に配置されている。第二の中間熱交換器１２２は、二つの熱交換器、すなわち、冷却用熱交換器１４１及び加熱用熱交換器１４２からなっており、後述する三方向切替弁、関係する流路等と一緒にビルディングのシャフトＥ’に配置されている。
【００３９】
冷却用熱交換器１４１及び加熱用熱交換器１４２は、流路１２３，１２４によって第一の中間熱交換器の二次側流路に接続されている。他の第二の中間熱交換器１２２は流路１２３，１２４における図示を省略した上方及び下方に並列接続され、第一の中間熱交換器の二次側流路は流路１２３，１２４の上端に接続されている。
【００４０】
冷却用熱交換器１４１の一次側下部口は、開閉弁１２６を介して流路１２３に接続され、一次側上部口は、開閉弁１２７を介して流路１２４に接続されている。加熱用熱交換器１４２の一次側上部口は、開閉弁１２８を介して流路１２４に、その一次側下部口は開閉弁１２９を介して流路１２３に接続されている。冷却用熱交換器１４１の二次側上部口は、三方向切換弁１４３を介して、ファンコイルユニット１３１を構成する熱交換器１３３の一方の冷媒口と加熱用熱交換器１４２の二次側上部口とに接続されている。
【００４１】
そして、加熱用熱交換器１４２の二次側下部口は、三方向切換弁１４４を介して、ファンコイルユニット１３１の熱交換器１３３の他方の冷媒口と冷却用熱交換器１４１の二次側下部口とに接続されている。
【００４２】
部屋Ａ’の降温は、開閉弁１２８，１２９を閉じ、開閉弁１２６，１２７を開くと共に、冷却用熱交換器１４１の二次側流路とファンコイルユニット１３１の熱交換器１３３とを三方向切換弁１４３，１４４によって接続する。流路１２３を流れる炭酸ガス冷媒は、実線矢印で示すように、冷却用熱交換器１４１の一次側流路を通って冷却用熱交換器１４１の一次側流路に流れ、冷却用熱交換器１４１の二次側流路を流れる炭酸ガス冷媒と熱交換する。この二次側炭酸ガス冷媒は、三方向切換弁１４４を経由してファンコイルユニット１３１に流れ、熱交換器１３３にて内部空気と熱交換した後、三方向切換弁１４３を経由して冷却用熱交換器１４１に再び戻り、一次側流路の炭酸ガス冷媒と熱交換する。ファンコイルユニット１３１の熱交換器１３３にて冷却された内部空気は、ファン１３４によって室内に放出され、室内温度を低下させる。
【００４３】
また、部屋Ａ’の昇温は、開閉弁１２６，１２７を閉じ、開閉弁１２８，１２９を開き、加熱用熱交換器１４２の二次側上部口とファンコイルユニット１３１の熱交換器１３３とを三方向切換弁１４３によって、熱交換器１３３と加熱用熱交換器１４２の二次側下部口とを三方向切換弁１４４によって接続する。流路１２４を流れる吸熱した炭酸ガス冷媒は、鎖線矢印で示すように、加熱用熱交換器１４２で放熱して一次側流路を通って流路１２３に流れる。加熱用熱交換器１４２の二次側流路を流れる炭酸ガス冷媒は一次側流路の炭酸ガス冷媒より吸熱、熱交換した後、三方向切換弁１４３を経由してファンコイルユニット１３１に流れ、熱交換器１３３にて放熱し、内部空気と熱交換した後、三方向切換弁１４４を経由して加熱用熱交換器１４２に戻る。ファンコイルユニット１３１の熱交換器１３３にて加熱された内部空気は、ファン１３４によって室内に放出され、室内温度を上げる。
【００４４】
この集中式空気調和装置においても、冷却用熱交換器１４１及び加熱用熱交換器１４２の二次側流路の炭酸ガス冷媒がファンコイルユニット１３１を設置した部屋容積の０．３３％以下からなり、許容炭酸ガス量よりも少なく、しかも、ファンコイルユニット１３１が冷却用熱交換器１４１及び加熱用熱交換器１４２によって分離されているため、炭酸ガス冷媒が万一室内に漏れても、この部屋に居る人に悪影響を与えず、第一の中間熱交換器の一次側流路を含む集中式冷凍回路と、第一の中間熱交換器及び冷却用熱交換器１４１及び加熱用熱交換器１４２の一次側流路とによって構成される閉回路と、冷却用熱交換器１４１及び加熱用熱交換器１４２の二次側流路との各々に最適な性能を持つ冷媒をそれぞれ採用することができ、冷却効率を向上させることができ、集中式冷凍回路の冷媒として、冷媒として性能の優れるが、毒性の強いアンモニア冷媒を採用しても、集中式冷凍回路と第一の中間熱交換器を部屋Ａ’から隔離された屋上に設置することができて、安全である。こればかりか、冷房に際し、冷却用熱交換器１４１の二次側流路にある炭酸ガス冷媒は、冷却用熱交換器１４１で放熱、液化し、落差によりファンコイルユニット１３１へと流れ、ここで吸熱、ガス化して、再び冷却用熱交換器１４１へと戻る。また、暖房に際しては、加熱用熱交換器１４２で吸熱、ガス化した炭酸ガス冷媒は、ファンコイルユニット１３１へと流れ、ここで放熱、液化して、落差により再び加熱用熱交換器１４２へと流れる。つまり、冷却用熱交換器１４１及び加熱用熱交換器１４２において、冷媒の各々が自然循環するため、ポンプを必要としない。このため、中継回路２０が在るにもかかわらず、低コストでこの集中式空気調和装置を構築することができる。
【００４５】
なお、以上述べた実施例において、集中式冷凍回路を構成する冷凍装置は、往復動圧縮機、凝縮器、受液器等を含む冷凍装置からなっているが、スクリュー圧縮機や遠心圧縮機等の圧縮式冷凍機を用いた冷凍装置や吸収式冷凍装置等からなっていてもよい。
【００４６】
さらに、集中式冷凍回路と室内回路とは、二つの中間熱交換器によって分離しているが、設置環境に応じて、一つの中間熱交換器によって直接分離してもよい。すなわち、中継回路に一つの中間熱交換器の使用し、この中間熱交換器の一次側流路を集中冷凍回路に、二次側流路をファンコイルユニットに接続した構成としてもよい。
【００４７】
さらにまた、冷媒は集中式冷凍回路にアンモニア、中継回路に炭酸ガス及び室内回路に炭酸ガスを使用しているが、他の冷媒の組み合わせを採用しても良い。
【００４８】
さらにまた、第一及び第二の中間熱交換器にプレート形熱交換器を使用しているが、他の構造をもつ熱交換器を採用してもよい。
【００４９】
さらにまた、中継回路の一次側はポンプ、二次側は自然循環によって冷媒を流しているが、設置環境に応じて、一次側及び二次側をそれぞれ自然循環又はポンプによって、冷媒を流すようにしてもよい。
【図面の簡単な説明】
【００５０】
【図１】本発明の空気調和装置の第一の実施例の全体構成を示す説明図。
【図２】図１に示す集中式空気調和装置の系統図である。
【図３】本発明の空気調和装置の第二の実施例を示す系統図である。
【符号の説明】
【００５１】
１０            ・・・集中式冷凍回路
１１            ・・・圧縮機
１２            ・・・凝縮器
１３            ・・・受液器
１４            ・・・膨張弁
２０            ・・・中継回路
２１            ・・・第一の中間熱交換器
２２            ・・・第二の中間熱交換器
２３，２４      ・・・流路
２３ａ          ・・・ポンプ
２５〜２９      ・・・開閉弁
３０            ・・・室内回路
３１            ・・・ファンコイルユニット
３３            ・・・熱交換器
３４            ・・・ファン
１２０            ・・・中継回路
１２２            ・・・第一の中間熱交換器
１４１            ・・・冷却用熱交換器
１４２            ・・・加熱用熱交換器
１２６〜１２９    ・・・開閉弁
１３１            ・・・ファンコイルユニット
１３３            ・・・熱交換器
１３４            ・・・ファン
Ａ〜Ｃ，Ａ’      ・・・部屋
Ｄ                ・・・機械室
Ｅ，Ｅ’          ・・・シャフト
【図１】
2006029744.tif 000003
【図２】
2006029744.tif 000004
【図３】
2006029744.tif 000005